(57)【特許請求の範囲】
【請求項１】
籾ホッパー（１１）と籾摺部（１）と摺落米風選部（２）とから構成した籾摺装置（３）に、横並びに混合米選別装置（４）を併設し、該混合米選別装置（４）には、前記摺落米風選部（２）から揚穀装置（５）によって揚穀され混合米タンク（９）により混合米が供給される構成とした籾摺選別機（６）において、該籾摺選別機（６）を構成する各装置の操作スイッチ（７）を集中して板の表側に配置すると共に裏面にコントロールボックス(３０)を取り付けた操作パネル（８）を、前記混合米選別装置（４）の上面に設け、該操作パネル（８）は、前記混合米選別装置（４）の上面から起立した操作位置（ａ）から前記コントロールボックス（３０）が上側になるよう枢着部を支点に回動して収納位置（ｂ）に姿勢変更を可能に構成し、前記揚穀装置（５）の前記籾摺装置（３）から突出した部分（５ａ）を枢着部（５ｂ）を支点にして前記籾ホッパー（１１）の上方に折り曲げると前記混合米タンク（９）が前記混合米選別装置（４）上に載置される構成としたことを特徴とする籾摺選別機。
【発明の詳細な説明】
【０００１】
【発明の属する技術分野】
本発明は、籾摺選別機に関し、農業機械の技術分野に属する。
【０００２】
【従来の技術】
従来から籾摺選別機は、マイクロコンピュ−タ−を利用した自動制御による作業と手動操作による作業とを切り換える自動切換スイッチや脱ぷ率調整スイッチ等を集中して設けた操作パネルは、揚穀装置の前面に固着したり、籾摺部の外側に突出させて配置する構成であった。
【０００３】
【発明が解決しようとする課題】
従来の籾摺選別機は、上述のとおり、操作パネルを揚穀装置の前面に固着した構成では、機体の前側に位置するオペレ−タから手が届きにくく、操作時には、籾ホッパ−の上側から身を乗り出さなければならず不便であった。また、操作パネルを籾摺部の外側に突出させて配置した構成では、籾摺部に籾袋で籾を供給する際に操作パネルのスイッチを誤操作したり、機体幅が広くなり、運搬や格納時に不利な構成となっていた。
【０００４】
本発明は、以下に述べる技術手段のとおり、操作パネルを、混合米選別装置の上面にデットスペ−スを利用して配置し、起立した操作位置と退避した収納位置とに姿勢変更ができる構成とすることにより、操作を楽にし、機体幅を縮小し、籾摺部への籾供給を容易化して従来装置の課題を解決せんとするものである。
【０００５】
【課題を解決するための手段】
本発明は、従来型の課題を解決するために、次の如き技術的手段を講じたものである。
すなわち、籾ホッパー（１１）と籾摺部（１）と摺落米風選部（２）とから構成した籾摺装置（３）に、横並びに混合米選別装置（４）を併設し、該混合米選別装置（４）には、前記摺落米風選部（２）から揚穀装置（５）によって揚穀され混合米タンク（９）により混合米が供給される構成とした籾摺選別機（６）において、該籾摺選別機（６）を構成する各装置の操作スイッチ（７）を集中して板の表側に配置すると共に裏面にコントロールボックス(３０)を取り付けた操作パネル（８）を、前記混合米選別装置（４）の上面に設け、該操作パネル（８）は、前記混合米選別装置（４）の上面から起立した操作位置（ａ）から前記コントロールボックス（３０）が上側になるよう枢着部を支点に回動して収納位置（ｂ）に姿勢変更を可能に構成し、前記揚穀装置（５）の前記籾摺装置（３）から突出した部分（５ａ）を枢着部（５ｂ）を支点にして前記籾ホッパー（１１）の上方に折り曲げると前記混合米タンク（９）が前記混合米選別装置（４）上に載置される構成としたことを特徴とする籾摺選別機である。
【０００６】
【発明の効果】
以上のように、本発明は、籾ホッパーと籾摺部と摺落米風選部とから構成した籾摺装置に、横並びに混合米選別装置を併設し、該混合米選別装置には、前記摺落米風選部から揚穀装置によって揚穀された混合米タンクにより混合米が供給される構成とした籾摺選別機において、該籾摺選別機を構成する各装置の操作スイッチを集中して板の表側に配置すると共に裏面にコントロールボックスを取り付けた操作パネルを、前記混合米選別装置の上面に設け、該操作パネルは、前記混合米選別装置の上面から起立した操作位置から前記コントロールボックスが上側になるよう枢着部を支点に回動して収納位置に姿勢変更を可能に構成し、前記揚穀装置の前記籾摺装置から突出した部分を枢着部を支点にして前記籾ホッパーの上方に折り曲げると前記混合米タンクが前記混合米選別装置上に載置される構成としたものであるから、自動切換スイッチ等の操作をきわめて容易に行うことができ、機体幅を従来機に対比して狭くできてオフシ−ズン時の格納や荷造運送を有利にできる特徴を有し、また、籾摺部への籾供給の際にスイッチ類を誤操作するおそれもなく籾供給が容易となる。
【０００７】
しかも、操作パネルは、不使用時には収納できるから、揚穀装置や混合米タンクを、従来通り機体上に折り曲げして収納しても何らの支障にならない利点も有する。
また、コントロールボックスが上側になるように回動できる構成にすることで揚穀装置の折り曲げの邪魔にならず、しかも、コントロールボックスのメンテナンスを容易に行うことができる。
【０００８】
【発明の実施の形態】
以下、本発明の実施例を具体的に説明する。まず、籾摺選別機６は、図４に示すように、籾摺部１と摺落米風選部２とからなる籾摺装置３と、前記摺落米風選部２から混合米を混合米選別装置４に揚穀する揚穀装置５と、この揚穀装置５に付随する混合米タンク９と、前記摺落米風選部２に連通させた吸引排塵装置１０とから構成している。
【０００９】
そして、籾摺部１は、籾ホッパ１１の底部に開口して設けた供給口１２に開閉自在に操作ができるシャッタ−１３を設け、その下側に一対の籾摺ロ−ル１４，１４'を軸架して構成している。つぎに、摺落米風選部２は、選別始端側が後部低位に位置して、選別終端側ほど順次高位になるように斜設されている選別風路１５を形成し、この選別風路１５の終端側には吸引排塵装置１０を連通して設け、更に、この選別風路１５の選別始端側下部には混合米移送螺旋１６を設けて構成している。なお、１７は粃受樋であって、上記選別風路１５の中間下部に設けている。１８は排塵筒を示す。
【００１０】
このように、籾摺装置３は、籾摺部１からの摺落米が、選別風路１５の選別始端側に供給されると、駆動されている吸引排塵装置１０によって起風されている吸引選別風により風選され、軽い籾殻・塵埃類は吸引排塵装置１０から排塵筒１８を経て機外に排塵され、また、比較的軽い粃は粃受樋１７に落下選別され、更に、重い籾・玄米の混合米は混合米移送螺旋１６に落下選別される構成としている。
【００１１】
そして、揚穀装置５は、駆動ベルトに汲み上げ用のバケットを取り付けたバケットコンベヤを内装して構成し、その下側の始端部を前記混合米移送螺旋１６の端部に臨ませて設け、その上側の終端部を混合米タンク９側に開口連通させて設けている。混合米タンク９は、下部開口を下側の渡し樋１９に臨ませて設け、揚穀装置５から供給された混合米を渡し樋１９に供給する構成としている。
【００１２】
そして、前記揚穀装置５は、図１に示すように、籾摺装置３から上方に突出した部分５ａを枢着部５ｂを支点にして手前側、籾ホッパ−１１の上方に折り曲げられる構成として、機体高さを低くして、格納や荷作り運送の便をはかる構成としている。このとき、混合米タンク９は、揚穀装置５の上部５ａとともに手前側の後述する混合米選別装置４の上面に載置できる構成となっている。
【００１３】
つぎに、混合米選別装置４は、板面に選別用の凹凸が多数設けられた複数の揺動選別板２０，２０'，２０"…を重ね合わせ、しかも、その揺動選別板２０，２０'，２０"…に選別傾斜角度を持たせ供給された混合米を粒形の大小、比重の大小あるいは摩擦抵抗の差異等により選別する揺動選別装置２１から構成している。そして、揺動選別装置２１は、揺動選別板２０，２０'，２０"…の高位の供給側から低位の排出側に向かう縦方向に傾斜させて、穀粒が流下する構成とし、また、選別方向である横方向にも傾斜させて、一側の揺上側を高く、他側の揺下側を低く構成し、揺動選別板２０，２０'，２０"…の排出側を選別済穀粒の排出部としている。そして、揺動選別板２０，２０'，２０"…は、横方向を機体の前後方向に沿わせた状態で配置し、図外の揺動ア−ムで横方向に斜上下に往復揺動する構成としている。
【００１４】
そして、分配ケ−ス２２は、前記渡し樋１９の終端部に連通して、各揺動選別板２０，２０'，２０"…の縦方向の高い供給側で、且つ、横方向の高い揺上側に設けている供給口（図示省略）に混合米を分配しながら供給する構成としている。２３は玄米仕切板、２４は籾仕切板を示す。そして、仕上米揚穀装置２５は、玄米仕切板２３に仕切られて流下する位置に設けた仕上米流路２６に連通し、玄米を機外に取り出す構成としている。また、混合米流路２７は、玄米仕切板２３と籾仕切板２４で仕切られた位置に設け、混合米移送螺旋１６に連通して構成している。そして、籾流路２８は、籾仕切板２４で仕切られた位置に設け、籾ホッパ−１１まで揚穀する籾揚穀機２９に連通して構成している。
【００１５】
つぎに、操作パネル８は、板の表側に自動入力スイッチ７ａや脱ぷ率設定スイッチ７ｂ，７ｃ等の操作スイッチ７が配置され、裏面にはコントロ−ルボックス３０が取り付けられている。このように構成された操作パネル８は、混合米選別装置４の上面に枢着して、図２に示すように、起立した操作位置ａと下方に退避した収納位置ｂとに姿勢変更ができ、その位置を保持できる構成としている。
【００１６】
そして、操作パネル８は、図２に示すように、収納位置ｂにすると、前述揚穀装置５の上部５ａを折り曲げたとき、混合米選別装置４上に混合米タンク９を載置できる状態となる。なお、操作パネル８は、収納したとき上側からカバ−で被覆する構成にしておくと、オフシ−ズンの格納時にハ−ネス等を鼠の害から保護できる。
【００１７】
そして、操作パネル８は、図５に仮想線で示すように、枢着部を支点にして手前側（右側）に反転して、コントロ−ルボックス３０が上側になるように回動できる構成にすると、上述した揚穀装置の折り曲げの邪魔にならず、しかも、コントロ−ルボックス３０のメンテナンスを容易に行うことができる利点がある。
参考例１
つぎに、図６乃至図８に基づいて参考例１を説明する。
【００１８】
参考例１は、揚穀装置の上部を折り曲げて丈を低くする構成において、昇降用のバケットコンベヤを巻回している上部の遊動転輪に関するものである。従来から周知の如く、バケットコンベヤを内装した揚穀装置４０は、上部を枢着して機体側（籾摺部側）に折り曲げ、丈を低くし、荷造り運送の便を図る構成となっているが、この場合、上部の遊動転輪４１の構成が課題となっている。
【００１９】
参考例１において、遊動転輪４１は、揚穀装置４０の両側板４２，４２'の内側に上下方向に沿わせてそれぞれ一対のレ−ル４３，４３'を設け、このレ−ル４３，４３'に摺動自在に嵌合した軸受板４４，４４'に軸受支持させて構成している。そして、軸受板４４，４４'は、上下摺動可能に嵌合している移動具４５，４５'に一端を連結したワイヤ−４６，４６'の他端部を連結し、上下する構成としている。なお、移動具４５，４５'は、図８に示すＵ型の押金具４７により上側から押し込み操作する構成としている。
【００２０】
４８、４８'は固定具を示す。以上のように構成した揚穀装置４０は、荷造りや運送時に、軸受板４４，４４と遊動転輪４１とを、図６に実線で示すように、枢着部より下方に下げた状態で上部を機体側に折り曲げて丈を低くすることができる。さて、つぎに、遊動転輪４１を正規の作業位置に上昇する操作は、図８に示すＵ型の押金具４７を上側から移動具４５，４５'に押し当てて押し下げると、軸受板４４，４４'は、ワイヤ−４６，４６'によって引き上げられ、上方に移動する。
【００２１】
このようにして、遊動転輪４１は、軸受板４４，４４'と一体となって引き上げられ、
図６の仮想線で示す位置に達すると、軸受板４４，４４'を固定具４８，４８'によって両側板４２，４２'に固定して操作を終わる。以上のとおり、別実施例１は、遊動転輪４１
の上げ下げ操作を楽に行うことができる利点を有する。
【００２２】
参考例２
つぎに、図９乃至図１３に基づいて、参考例２を説明する。参考例２は、揚穀装置の側部に沿って吸塵風路を併設した構成において、揚穀装置のメンテナンスを容易に行なうことのできる装置を提供せんとするものである。
【００２３】
まず、揚穀装置５０は、下部の駆動輪５１と上部の遊動転輪５２とにバケットコンベヤ５３を巻回して穀粒を揚穀する構成としている。そして、吸塵風路５４は、横断面を箱型に形成してバケットコンベヤ５３の側方に沿わせて上下方向に設け、上部を揚穀装置５０の投げ口に臨ませ、下部を図外の吸塵唐箕に連通して混合米タンク５５側の塵埃を吸塵する構成としている。
【００２４】
そして、吸塵風路５４は、図９及び図１０に示す構成例は、箱型に形成した吸塵風路５４を、係止具５６によって揚穀装置５０に着脱自由に取り付けた構成としている。そして、図１２に示す吸塵風路５４は、途中に横断する点検通路５７を設けて外側に開閉自由の点検蓋５８を設けている。更に、吸塵風路５４は、図１３に示す構成例は、中間部分を着脱自由に連結した中継側板５９、５９'によって連結して連通状態に構成され、その中継側板５９、５９'を外せば外側からバケットコンベヤ５３のメンテナンスを可能に構成している。６０は点検棒である。
【００２５】
以上のように構成した参考例２において、揚穀装置５０は、摺落米風選部の混合米を揚穀して上方の混合米タンク５５に供給し、吸塵風路５４は、混合米タンク５５側の塵埃を吸塵して搬送し、終端部に連通している図外の吸塵唐箕に送り込んで塵埃の少ない作業環境をつくることができる。さて、つぎに揚穀装置５０のメンテナンスを行う操作は、図９、図１０に示す構成例では、係止具５６を外して箱型の吸塵風路５４を揚穀装置５０から取り外してバケットコンベヤ５３を開放する。このようにして、揚穀装置５０は、点検整備等のメンテナンスを容易に行うことができる。
【００２６】
また、図１２に示す構成例は、点検蓋５８を外して点検通路５７から点検棒６０により押してバケットコンベヤ５３の張り具合を調べることができる。更に、図１３に示す構成例は、中継側板５９、５９'を外して機外から簡単にメンテナンスを行うことができる。
参考例３
つぎに、図１４から図２１に基づいて参考例３を説明する。
【００２７】
参考例３は、籾摺選別機の操作機構の簡素化を図らんとするものである。まず、図１４及び図１５に示す構成は、操作レバ−６１、６２を籾摺部６３と揺動選別部６４との間に集中して配置したものである。従来、操作レバ−は、籾摺りロ−ル６５、６５'の外側に配置されており、ロ−ルの交換に支障となるばかりでなく、機体幅が広くなり、荷造りや運送に不利となっていた。
【００２８】
上述のように構成した参考例３は、従来型の欠陥を解消することができた実用的な効果を有するものである。つぎに、図１６から図２０に示す構成例は、モノレバ−で３機構を操作できる構成を示すものである。すなわち、レバ−案内通路６６は、図１６に示すように、クランク状に形成し、一本の操作レバ−６７を通路に沿って案内して移動操作できる構成としている。前記レバ−通路６６は、シャッタ−操作通路６６ａと、クラッチ操作通路６６ｂと、排出弁切換通路６６ｃとを連続状に連通して、クランク状に構成している。
【００２９】
そして、シャッタ−操作通路６６ａは、縦方向とし、籾ホッパ−のシャッタ−に接続した操作ア−ム６８を臨ませて設け、前記操作レバ−６７によって係合されて操作され、シャッタ−を開閉できる構成としている。つぎに、クラッチ操作通路６６ｂは、横方向とし、揺動選別装置の伝動装置に設けたクラッチ装置を断続できるように連結した操作ワイヤ−６９を取り付けた回転輪７０を臨ませて配置し、前記操作レバ−６７に固着した操作杆７１が、回転輪７０の係止棒７２をひっかけて回転させる構成としている。
【００３０】
つぎに、排出弁切換通路６６ｃは、縦方向とし、仕上米通路と混合米通路との間に枢着されて切り換え自由に設けている切換弁に連結した操作ア−ム７３を臨ませて設け、操作レバ−６７によって開閉操作できる構成としている。つぎに、図２０及び２１に示す構成例は、操作レバ−６７を、シャッタ−操作レバ−７４とクラッチ、排出弁切換レバ−７５との２本から構成した例を示す。
【００３１】
その理由は、シャッタ−操作レバ−７４を単独でも操作可能としてシャッタ−を閉めた状態に保持して、事後処理等の他の操作を自由に行うためである。つぎに、図１６に基づいて別実施例３の作用について述べる。オペレ−タ−は、籾摺作業を開始するとき、１本の操作レバ−６７を、レバ−通路６６のシャッタ−操作通路６６ａ内に臨んでいる操作ア−ム６８に係止して移動操作し、シャッタ−を開く。つづいて、操作レバ−６７は、シャッタ−操作通路６６ａの端部から横方向にクラッチ操作通路６６ｂを移動させ、操作杆７１が、回転輪７０の係止棒７２をひっかけて回転させ、引かれた操作ワイヤ−６９を介してクラッチ装置を入りとし、揺動選別装置を駆動する。
【００３２】
つづいて、操作レバ−６７は、始動している揺動選別装置の選別状態が安定するのを待って、排出弁切換通路６６ｃの操作ア−ム７３を係止して移動すると、連動された切換弁が仕上米通路を開放して選別された仕上米が、仕上米通路を経て仕上米揚穀機によって機外に取り出される。以上述べたように、別実施例３は、一つの操作レバ−によって３つの機構を操作することができる合理的な構成となった特徴を有するものである。
【００３３】
つぎに、本発明の実施例について、その作用を説明する。まず、作業に先立って、操作パネル８を、図１に示すように、操作位置ａまで起立して操作の容易な状態にする。そして、原動機を始動して籾摺選別機６の回転各部を駆動しながら、操作パネル８の各操作スイッチ７を操作し、籾ホッパ１に籾の張り込んで準備を完了する。
【００３４】
この場合、オペレ−タ−は、自動入力スイッチ７ａをＯＮ操作して自動制御による作業を選択し、脱ぷ率設定スイッチ７ｂ又は７ｃのいずれか一方を選んで条件設定を行う。このようにして準備をして、操作レバ−を操作してシャッタ−１３を開くと、籾ホッパ−１１内の籾は、開放された供給口１２から下方に流下する。
【００３５】
そして、供給された籾は、互いに反対方向に回転周速差を保って回転している一対の籾摺ロ−ル１４，１４'で籾摺され、摺落米となって下方の摺落米風選部２に落下供給される。そして、摺落米は、選別風路１５において、吸引排塵装置１０によって起風された選別風を受けて選別され、軽い籾殻は選別風路１５の終端側に流れ、吸引排塵装置１０，排塵筒１８を経由して機外に排塵され、また、比較的軽い粃は、粃受樋１７に落下選別され、また、重い籾・玄米の混合米は、混合米移送螺旋１６に落下選別される。
【００３６】
ついで、混合米移送螺旋１６に落下した混合米は、一側に搬送されて揚穀装置５の下部、搬送始端部に供給されて汲み上げられるように揚穀されて混合米タンク９に供給される。そして、混合米は、渡し樋１９から分配ケ−ス２２を経て、各揺動選別板２０，２０'，２０"…に供給される。このようにして、混合米は、横方向斜上下の往復揺動を繰り返している揺動選別板２０，２０'，２０"…に供給されると、粒形の大小，比重の大小あるいは摩擦抵抗の差異等により選別されて、横方向の揺上側に偏流分布を開始し、選別面上において揺上側に玄米が揺下側に籾が中間部分に玄米と籾との混合米がそれぞれ層状になって排出側に流動する。
【００３７】
そして、穀粒は、揺動選別装置２１によって選別された後、排出側から流下し、玄米仕切板２３と籾仕切板２４で仕切られて取り出されるが、まず、玄米は、揺動選別装置５から排出されて玄米仕切板２３に仕切られて流下し、仕上米流路２６を経て、仕上米揚穀装置２５に達し揚穀されて機外に取り出される。また、揺動選別板２０，２０'，２０"…の横方向中間部に偏流分布した混合米は、玄米仕切板２３及び籾仕切板２４で仕切られて取り出され、混合米流路２７，混合米移送螺旋１６，揚穀装置５，混合米タンク９，渡し樋１９，分配ケ−ス２２を経て、揺動選別板２０，２０'，２０"…に還元されて再選別される。
【００３８】
また、揺動選別板２０，２０'，２０"…の横方向揺下側に偏流分布した籾は、籾仕切板２４で仕切られて取り出され、籾流路２８から籾揚穀機２９を経て籾ホッパ−１１に還元されて再度の籾摺がされる。以上のように、一連の籾摺選別作業を終了すると、操作パネル８を図２に示すように、混合米選別装置４の上面から収納位置ｂまで回動して収納する。したがって、操作パネル８は、何らの邪魔にならず、例えば、従来機のように、揚穀装置５の上部５ａを機体側に折り曲げて混合米タンク９が混合米選別装置４の上面に載置状態になっても、何らの障害にならない特徴がある。
【図面の簡単な説明】
【図１】本発明の実施例であって、要部の斜面図である。
【図２】本発明の実施例であって、作用側面図である。
【図３】本発明の実施例であって、斜面図である。
【図４】本発明の実施例であって、籾摺選別機の内部側面図である。
【図５】本発明の実施例であって、作用図である。
【図６】本発明の参考例１であって、側面図である。
【図７】本発明の参考例１であって、平面図である。
【図８】本発明の参考例１であって、斜面図である。
【図９】本発明の参考例２であって、内部を示す側面図である。
【図１０】本発明の参考例２であって、切断平面図である。
【図１１】本発明の参考例２であって、内部を示す側面図である。
【図１２】本発明の参考例２であって、内部の側面図である。
【図１３】本発明の参考例２であって、内部の側面図である。
【図１４】本発明の参考例３であって、斜面図である。
【図１５】本発明の参考例３であって、一部を破断した側面図である。
【図１６】本発明の参考例３であって、平面図である。
【図１７】本発明の参考例３であって、正面図である。
【図１８】本発明の参考例３であって、斜面図である。
【図１９】本発明の参考例３であって、正面図である。
【図２０】本発明の参考例３であって、平面図である。
【図２１】本発明の参考例３であって、正面図である。
【符号の説明】
１ 籾摺部 ２ 摺落米風選部   ３ 籾摺装置
４ 混合米選別装置 ５ 揚穀装置 ６ 籾摺選別機
７ 操作スイッチ   ８ 操作パネル
ａ 操作位置   ｂ 収納位置
【図１】
0003757487.tif 000002
【図２】
0003757487.tif 000003
【図３】
0003757487.tif 000004
【図４】
0003757487.tif 000005
【図５】
0003757487.tif 000006
【図６】
0003757487.tif 000007
【図７】
0003757487.tif 000008
【図８】
0003757487.tif 000009
【図９】
0003757487.tif 000010
【図１０】
0003757487.tif 000011
【図１１】
0003757487.tif 000012
【図１２】
0003757487.tif 000013
【図１３】
0003757487.tif 000014
【図１４】
0003757487.tif 000015
【図１５】
0003757487.tif 000016
【図１６】
0003757487.tif 000017
【図１７】
0003757487.tif 000018
【図１８】
0003757487.tif 000019
【図１９】
0003757487.tif 000020
【図２０】
0003757487.tif 000021
【図２１】
0003757487.tif 000022